(57)【要約】【課題】  両面記録モード時の不具合を解消することができる記録媒体搬送装置を提供する。【解決手段】  搬送ベルト２上に記録媒体を静電吸着して搬送する記録媒体搬送装置において、搬送ベルト２に対して第一面記録時における記録媒体搬送方向下流側にあって、第一面記録が終了した記録媒体が搬送ベルト２上に残っている状態でそのニップ部に挟持される位置に記録媒体を強制排出する強制排出手段５、６を備えた。【選択図】  図１
2007039208.tif 000002
【特許請求の範囲】
【請求項１】
搬送ベルト面に記録媒体を静電吸着して搬送する記録媒体搬送装置において、搬送ベルトによる記録媒体の搬送方向下流側にあって、第一面に対する記録が終了した記録媒体が搬送ベルト上に残っている状態で記録媒体を挟持する位置に該記録媒体を強制排出する強制排出手段を備えたことを特徴とする記録媒体搬送装置。
【請求項２】
請求項１記載の記録媒体搬送装置において、前記強制排出手段はローラ対からなり、該ローラ対が記録媒体を排出しようとする搬送力は、正常に記録媒体を搬送することができる搬送ベルトと記録媒体の吸着による搬送力より若干低く設定されることを特徴とする記録媒体搬送装置。
【請求項３】
請求項２記載の記録媒体搬送装置において、前記搬送ベルトと記録媒体との吸着による搬送力が、記録媒体の浮きを生じさせる程度に低下したとき、前記ローラ対により第一面記録が終了した記録媒体は強制排出されることを特徴とする記録媒体搬送装置。
【請求項４】
請求項２記載の記録媒体搬送装置において、前記ローラ対の搬送力を可変としたことを特徴とする記録媒体搬送装置。
【請求項５】
請求項１乃至４の何れか一項に記載の記録媒体搬送装置と、第一面に記録を受けた記録媒体を反転させて搬送ベルト上に送り出す両面機構と、を備えたことを特徴とする画像形成装置。
【発明の詳細な説明】
【技術分野】
【０００１】
本発明は、搬送ベルト上に記録媒体を静電吸着して搬送する記録媒体搬送装置及びその記録媒体搬送装置を搭載した複写機、ファクシミリ装置、プリンタなどの画像形成装置に関する。
【背景技術】
【０００２】
記録ヘッドを用いたプリンタにおいては、搬送ベルト上に記録媒体を静電吸着して搬送する過程で記録ヘッドにより記録媒体上に画像が記録  （印刷）される。記録媒体の表面（第一面）にのみ画像を記録する場合は、記録媒体は第一面に記録を受けた後で排紙部から排紙される。記録媒体の裏面（第二面）にも記録を行う、所謂両面記録モードのときは、第一面記録後の記録媒体を両面機構に搬送し表裏を逆にして、再び記録ヘッドを通過させる。
【発明の開示】
【発明が解決しようとする課題】
【０００３】
ところで、記録ヘッドにより記録媒体に画像記録が行われると、搬送ベルトの静電吸着力が低下し、両面記録モード時に不具合が生じることがあった。即ち第二面記録時に、吸着力低下に伴い記録媒体と搬送ベルト面との間に浮きが生じ、記録媒体が記録ヘッドと接触し、画像の乱れ、記録媒体の破損及び搬送不良が発生することがあった。
本発明は、このような背景に鑑みてなされたものであり、両面記録モード時の不具合を解消することができる記録媒体搬送装置及び画像形成装置を提供することを目的とする。
【課題を解決するための手段】
【０００４】
上記目的を達成するために、請求項１記載の発明は、搬送ベルト面に記録媒体を静電吸着して搬送する記録媒体搬送装置において、搬送ベルトによる記録媒体の搬送方向下流側にあって、第一面に対する記録が終了した記録媒体が搬送ベルト上に残っている状態で記録媒体を挟持する位置に該記録媒体を強制排出する強制排出手段を備えたことを特徴とする。
請求項２の発明は、請求項１記載の記録媒体搬送装置において、前記強制排出手段はローラ対からなり、該ローラ対が記録媒体を排出しようとする搬送力は、正常に記録媒体を搬送することができる搬送ベルトと記録媒体の吸着による搬送力より若干低く設定されることを特徴とする。
請求項３の発明は、請求項２記載の記録媒体搬送装置において、前記搬送ベルトと記録媒体との吸着による搬送力が、記録媒体の浮きを生じさせる程度に低下したとき、前記ローラ対により第一面記録が終了した記録媒体は強制排出されることを特徴とする。
請求項４の発明は、請求項２記載の記録媒体搬送装置において、前記ローラ対の搬送力を可変としたことを特徴とする。
請求項５の発明に係る画像形成装置は、請求項１乃至４の何れか一項に記載の記録媒体搬送装置と、第一面に記録を受けた記録媒体を反転させて搬送ベルト上に送り出す両面機構と、を備えたことを特徴とする。
【発明の効果】
【０００５】
本発明は、搬送ベルト上に記録媒体を静電吸着して搬送する記録媒体搬送装置において、搬送ベルトに対して第一面記録時における記録媒体搬送方向下流側にあって、第一面記録が終了した記録媒体が搬送ベルト上に残っている状態でそのニップ部に挟持される位置に記録媒体を強制排出する強制排出手段を備えたので、搬送ベルトの搬送力が低下した場合、第一面記録が終了した記録媒体を強制排出することができ、第二面記録時の搬送不良に伴う不具合を解消することができる。
【発明を実施するための最良の形態】
【０００６】
以下、本発明の実施形態を図面に従って説明する。
図１は本発明の一実施形態に係る画像形成装置の搬送ベルト部の要部構成図であり、（ａ）は上面図、（ｂ）は一部を省略した正面図である。
本画像形成装置は、図１に示すように、記録ヘッド１、搬送ベルト２、搬送ローラ３、テンションローラ４、回転ローラ５、拍車６、両面機構７を備えている。搬送ベルト２は、搬送ローラ３とテンションローラ４によって張架されて支持されている。搬送ベルト２の表面は絶縁層からできており、電荷を受けると静電吸着力を発生し、記録媒体を吸着して自身の回転により搬送する。
記録ヘッド１は張架された搬送ベルト２の上面に対向して平行に配置され、搬送ベルト上を搬送される記録媒体に高画質に画像記録するのに最適な位置に設置されている。記録ヘッド１、搬送ローラ３、テンションローラ４、回転ローラ５、拍車６は互いに平行な側板１０と側板１１によって支持されている。両面機構７と回転ローラ５及び拍車６は記録媒体搬送方向において記録媒体を挟む位置に設けられる。と回転ローラ５及び拍車６は、強制排出手段を構成している。
回転ローラ５と拍車６は、搬送ベルト２に対して第一面記録時における記録媒体搬送方向（矢印Ａ方向）下流側にあって、第一面記録が終了した記録媒体が搬送ベルト２上に残っている状態で回転ローラ５と拍車６のニップ部に挟持される位置に配置される。長軸の回転ローラ５の上に複数の拍車６が当接している。
両面記録モードにおいて、記録媒体が第一面記録終了時に回転ローラ５が記録媒体を排出する方向（矢印Ａ方向）に回転するようになっている。回転ローラ５の記録媒体を排出しようとする搬送力は、正常に記録媒体を搬送することができる搬送ベルト２と記録媒体の吸着による搬送力より若干低く設定される。
従って、搬送ベルト２と記録媒体の吸着による搬送力が所定値（正常の搬送力）であれば、回転ローラ５の記録媒体を排出しようとする搬送力以上となり、記録媒体５は搬送ベルト２の面に吸着されたままローラ４の周面で反転して両面機構７まで搬送される。そして、両面機構７内の図示しない反転経路を経て第二面を上にして再び搬送ベルト面上に送り出され、矢印Ａ方向に搬送され両面記録（第二面への記録）を受ける。
一方、搬送ベルト２と記録媒体の吸着による搬送力が所定値を下回り、回転ローラ５の記録媒体を排出しようとする搬送力より小さければ、記録媒体は回転ローラ５と拍車のニップに挟持されて矢印Ａ方向に排出される。つまり両面記録モードであっても記録媒体は両面機構７へ搬送されることができないため、第二面に画像記録されずに第一面だけ画像記録された状態で排紙される。このようにして、第二面記録時に記録ヘッド１と記録媒体が接触することによる搬送不良が発生するのを未然に防ぐことができる。
【０００７】
図２は回転ローラの搬送力調整機構の一実施例を示す図である。回転ローラ５は両側版１０、１１に軸方向のみ移動を規制され、上下方向には移動を規制されずに（上下方向移動可能な構成であり）、カム２０によって上下移動可能なバネブラケット２１に支持されているバネ２２の付勢力を受けて、拍車支持軸２３に支持されている拍車６に押圧される構成となっている。
図３は図２に示すバネの加圧力を変えることで回転ローラの搬送力を変える様子を示す図である。搬送ベルト２と記録媒体の吸着力は、使用環境、記録媒体の種類によって変化するので、回転ローラの搬送力も調整する必要がある。調整カム２０は使用環境を感知できる湿度センサ等と連動していて、使用環境の湿度条件によって回転してバネ２２の加圧力を変化させ、回転ローラ５の記録媒体を排出する搬送力を調整する。（ａ）は通常の搬送力を得るカム２０とバネ２２の状態、（ｂ）は大きい搬送力を得るカム２０とバネ２２の状態を示す。
図４は搬送べルト上の記録媒体の浮きを検出する浮き検出機構を示す図である。
この例では側板１０に浮き検出手段として反射型光センサ３０を設けている。両側板１０、１１に透過型の光センサの発光部、受光部を設けてもよい。光センサ３０により、第一面記録時に記録媒体の浮きが検知された場合、記録媒体を確実に排出するために、図３の（ｂ）の状態にする。
【図面の簡単な説明】
【０００８】
【図１】本発明の実施形態に係る画像形成装置の要部構成図である。
【図２】回転ローラの搬送力調整機構の一実施例を示す図である。
【図３】図２に示すバネの加圧力を変えることで回転ローラの搬送力を変える様子を示す図である。
【図４】搬送べルト上の記録媒体の浮きを検出する浮き検出機構を示す図である。
【符号の説明】
【０００９】
２  搬送ベルト
５  回転ローラ（強制排出手段構成要素）
６  拍車（強制排出手段構成要素）
【図１】
2007039208.tif 000003
【図２】
2007039208.tif 000004
【図３】
2007039208.tif 000005
【図４】
2007039208.tif 000006